(57)【要約】【課題】従来は赤、緑、青のそれぞれに対して必要であったガンマ補正用の抵抗ストリング及び電源を１個に低減し、駆動装置を小型化・低消費電力化する。【解決手段】本発明のデータ線駆動装置では、ｎ個の基準電圧端子を有する１個の抵抗ストリングを含む電圧発生手段２１で発生したｎ種類の基準電圧の中から電圧選択手段２２によりｍ種類の赤用階調電圧Ｖｒ（０）〜Ｖｒ（１５）、ｍ種類の緑用階調電圧Ｖｇ（０）〜Ｖｇ（１５）、ｍ種類の青用階調電圧Ｖｂ（０）〜Ｖｂ（１５）をそれぞれ選択して出力することにより、１個の抵抗ストリングと１対の電源だけを用いて赤に対するガンマ補正特性、緑に対するガンマ補正特性および青に対するガンマ補正特性のすべてを実現することができる。【選択図】　　　図３
2004085806.tif 000002
【特許請求の範囲】
【請求項１】
赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗が直列に接続され前記抵抗の各接続点に対応して前記ｍよりも大きいｎ個の基準電圧端子が設けられた電圧発生手段と、
前記ｎ個の基準電圧端子から入力する基準電圧の中からｍ種類の赤用階調電圧、ｍ種類の緑用階調電圧、ｍ種類の青用階調電圧をそれぞれ選択して出力する電圧選択手段とを備えることを特徴とする表示パネルの駆動装置。
【請求項２】
前記電圧発生手段に含まれる複数の抵抗が同一の抵抗値を有することを特徴とする請求項１に記載の表示パネルの駆動装置。
【請求項３】
前記電圧選択手段は、
第１の方向に設けられ前記電圧発生手段に接続されたｎ本の基準電圧入力線と、前記第１の方向と直交する第２の方向に設けられたｍ本の赤用階調電圧出力線、ｍ本の緑用階調電圧出力線およびｍ本の青用階調電圧出力線と、前記第１の方向の配線と前記第２の方向の配線との交点に設けられ、それぞれの赤用階調電圧出力線に対しｎ本の基準電圧入力線のうちの１本と選択的に接続しそれぞれの緑用階調電圧出力線に対しｎ本の基準電圧入力線のうちの１本と選択的に接続しそれぞれの青用階調電圧出力線に対しｎ本の基準電圧入力線のうちの１本と選択的に接続する接続手段を備えることを特徴とする請求項１に記載の表示パネルの駆動装置。
【請求項４】
前記接続手段は、第１の方向の配線と第２の方向の配線との交点に設けられ該配線間を接続するビアであることを特徴とする請求項３に記載の表示パネルの駆動装置。
【請求項５】
前記接続手段は、第１の方向の配線と第２の方向の配線との交点に設けられたスイッチと、それぞれの赤用階調電圧出力線に対し該赤用階調電圧出力線に接続されたｎ個のスイッチのうち１個を選択して導通させ、それぞれの緑用階調電圧出力線に対し該緑用階調電圧出力線に接続されたｎ個のスイッチのうち１個を選択して導通させ、それぞれの青用階調電圧出力線に対し該青用階調電圧出力線に接続されたｎ個のスイッチのうち１個を選択して導通させるように制御するスイッチ制御回路とからなることを特徴とする請求項３に記載の表示パネルの駆動装置。
【請求項６】
赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗が直列に接続され前記抵抗の各接続点に対応して前記ｍよりも大きいｎ個の基準電圧端子が設けられた電圧発生手段と、
前記ｎ個の基準電圧端子から入力する基準電圧の中からｍ種類の赤用階調電圧、ｍ種類の緑用階調電圧、ｍ種類の青用階調電圧をそれぞれ選択して出力する電圧選択手段と、
デジタル入力データに基づいてｍ種類の前記赤用階調電圧からひとつを選択して出力する赤用デジタルアナログコンバータ、ｍ種類の前記緑用階調電圧からひとつを選択して出力する緑用デジタルアナログコンバータおよびｍ種類の前記青用階調電圧からひとつを選択して出力する青用デジタルアナログコンバータとを備えることを特徴とする表示パネルの駆動装置。
【請求項７】
前記電圧選択手段は、前記赤用デジタルアナログコンバータ毎に対応して設けられｎ種類の基準電圧の中から選択されたｍ種類の赤用階調電圧を供給する赤用の電圧選択手段と、前記緑用デジタルアナログコンバータ毎に対応して設けられ前記ｎ種類の基準電圧の中から選択されたｍ種類の緑用階調電圧を供給する緑用の電圧選択手段と、前記青用デジタルアナログコンバータ毎に対応して設けられ前記ｎ種類の基準電圧の中から選択されたｍ種類の青用階調電圧を供給する青用の電圧選択手段とを有することを特徴とする請求項６に記載の表示パネルの駆動装置。
【発明の詳細な説明】
【０００１】
【発明の属する技術分野】
本発明は表示パネルのデータ線を駆動する駆動装置に関し、特に、赤、緑、青の発光特性が異なる発光素子の特性を補正して表示させる駆動装置に関する。
【０００２】
【従来の技術】
近年、自発光型の素子であるエレクトロルミネセンス（以下ＥＬと略す）素子を用いたカラー表示装置が実用化されてきている。図９はＥＬ表示装置のブロック図である。表示パネル１はデータ線２と走査線３との各交点に設けられた複数の画素４を含んで構成される。各画素４内にはＥＬ素子９が含まれ、データ線２と走査線３で選択された画素内のＥＬ素子９はデータ線２から供給される駆動電圧に従った強度で発光する。
【０００３】
データ線駆動装置７０は、赤の入力データＤｒ、緑の入力データＤｇ、青の入力データＤｂを入力し、データ線２に駆動電圧ＤＶ（１）〜ＤＶ（ｋ）を出力する。データ線駆動装置７０は、データの入力および出力のタイミングを制御する駆動制御回路７と、各データ線へ出力する駆動電圧を生成する駆動電圧生成回路７１とを備えている。走査線駆動装置６は走査線３のスキャンを制御する。なお、図９では説明の便宜のために入力データＤｒ、Ｄｇ、Ｄｂを４ビットのデータとしているが、６ビット、８ビットまたはそれ以外であってもよい。
【０００４】
ところで、ＥＬ素子は赤、緑、青の発光特性が異なるため、バランスのとれたカラー表示を実現するためにはそれぞれの発光特性に合わせて駆動電圧を補正（ガンマ補正）する必要がある。図１０は各色のガンマ補正特性の一例を示す図である。図１０（ａ）は赤に対するガンマ補正特性を示す図であり、図１０（ｂ）は緑に対するガンマ補正特性を示す図であり、図１０（ｃ）は青に対するガンマ補正特性を示す図である。ＥＬ素子を用いた表示パネルでは、このように赤、緑、青の各色毎に異なる補正が必要であるため、赤用、緑用、青用にそれぞれ専用の階調電圧発生回路を設ける必要があった。
【０００５】
図１１は、従来の駆動電圧生成回路７１のブロック図である。駆動電圧生成回路７１は、赤用の電源Ｖｒが供給され４ビットすなわち１６種類の階調電圧Ｖｒ（０）〜Ｖｒ（１５）を発生して出力する赤用階調電圧発生回路７２と、緑用の電源Ｖｇが供給され１６種類の階調電圧Ｖｇ（０）〜Ｖｇ（１５）を発生して出力する緑用階調電圧発生回路７３と、青用の電源Ｖｂが供給され１６種類の階調電圧Ｖｂ（０）〜Ｖｂ（１５）を発生して出力する緑用階調電圧発生回路７４とを備えている。赤用のデジタルアナログコンバータ（以下ＤＡＣと略す）１２は赤用の階調電圧Ｖｒ（０）〜Ｖｒ（１５）の中から４ビットの入力データＤｒに対応する階調電圧に変換し、バッファ回路１５を介してガンマ補正された電圧を駆動電圧としてデータ線２に出力する。緑用のＤＡＣ１３は緑用の階調電圧Ｖｇ（０）〜Ｖｇ（１５）の中から４ビットの入力データＤｇに対応する階調電圧に変換し、バッファ回路１５を介してガンマ補正された電圧をデータ線２に出力する。同様に、青用のＤＡＣ１４は青用の階調電圧Ｖｂ（０）〜Ｖｂ（１５）の中から４ビットの入力データＤｂに対応する階調電圧に変換し、バッファ回路１５を介してガンマ補正された電圧をデータ線２に出力する。
【０００６】
階調電圧発生回路およびＤＡＣの詳細は、例えば特開２００２−１７５０６０号公報に記載されている。図１２の回路図に示すように、赤用の階調電圧発生回路７２は赤用の電源Ｖｒが供給する電圧を補正用に選定された値を持つ抵抗で分割することにより赤用の階調電圧Ｖｒ（０）〜Ｖｒ（１５）を生成し出力する。同様に、緑用の階調電圧発生回路７３においても、緑用の電源Ｖｇが供給する電圧を補正用に選定された値を持つ抵抗で分割することにより緑用の階調電圧Ｖｇ（０）〜Ｖｇ（１５）を生成し出力する。また、青用の階調電圧発生回路７４においても、青用の電源Ｖｂが供給する電圧を補正用に選定された値を持つ抵抗で分割することにより青用の階調電圧Ｖｂ（０）〜Ｖｂ（１５）を生成し出力する。図１１の赤用のＤＡＣ１２ａは、それぞれのビットに対応するスイッチが設けられていて、４ビットの赤のデータ入力Ｄｒに基づいてスイッチが開閉して階調電圧のうちのひとつを選択して出力する。例えばデータ入力Ｄｒが（１０００ｂ）すなわち（８ｈ）である場合には階調電圧Ｖｒ（８）が選択されて出力される。緑用のＤＡＣ１３、青用のＤＡＣ１４についても同様に構成される。
【０００７】
【発明が解決しようとする課題】
しかしながら、この第１の従来例では赤用、緑用、青用に専用の階調電圧発生回路を設ける必要があったため、赤、緑、青の電源がそれぞれ必要であり、赤用、緑用、青用のそれぞれ補正用に選定された値を持つ抵抗ストリングが必要であった。このため、データ線駆動装置７０が小型化できず、また、消費電力も低減できないという問題点があった。
【０００８】
これに対して、特開２００１−９２４１３号公報には、ビデオ信号にガンマ補正を直接施す第２の従来技術が開示されている。図１３は、第２の従来技術のＥＬ表示装置のブロック図である。映像信号補正回路８２は、赤、緑、青の入力データを入力し、補正メモリ８３の補正データに基づいて信号を増幅または減衰するように補正処理する。例えば赤の入力データＤｒについては増幅されるように補正処理され、補正された赤データ入力ＣＤｒがデータ線駆動装置８１に入力される。緑の入力データＤｇ、青の入力データＤｂについても同様に映像信号補正回路８２で補正され、補正された緑データ入力ＣＤｇおよび補正された青データ入力ＣＤｂがデータ線駆動装置８１に入力される。このように、赤、緑、青のそれぞれの入力データは映像信号補正回路８２でガンマ補正の処理がなされてからデータ線駆動装置８１に入力されるため、データ線駆動装置８１内には１個の階調電圧発生回路を持つだけでよく、部品点数の削減、消費電力の低減を行うことができる。
【０００９】
しかしながら、この第２の従来技術では、映像信号補正回路８２で信号を増幅する処理を行った場合には、実質的に階調電圧の数を増加させることになり、ＤＡＣへのデジタル入力データがＤＡＣの変換可能なビット数を超えてしまう。このような場合には入力データに対しては出力の階調電圧が飽和してしまうため、表示の色ムラが発生するという新たな問題点が生じる。
【００１０】
本発明の主な目的は、１個の抵抗ストリングを用いて赤、緑、青のガンマ補正を行うことができる小型化及び低消費電力に適した階調電圧発生回路を備え、且つデジタルアナログ変換時に飽和が生じてしまうことのないデータ線の駆動回路を提供することにある。本発明の上記及びそれ以外の関連する目的と特徴は、添付図面に基づく説明で指摘した新規事項を読めば明確になるであろう。
【００１１】
【課題を解決するための手段】
本発明の表示パネルの駆動装置は、赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、高電圧側の第１の電源と低電圧側の第２の電源との間に複数の抵抗が直列に接続され前記抵抗の各接続点に対応して前記ｍよりも大きいｎ個の基準電圧端子が設けられた電圧発生手段と、前記ｎ個の基準電圧端子から入力する基準電圧の中からｍ種類の赤用階調電圧、ｍ種類の緑用階調電圧、ｍ種類の青用階調電圧をそれぞれ選択して出力する電圧選択手段とを備えて構成される。または、これに加えて、デジタル入力データに基づいてｍ種類の前記赤用階調電圧からひとつを選択して出力する赤用デジタルアナログコンバータ、ｍ種類の前記緑用階調電圧からひとつを選択して出力する緑用デジタルアナログコンバータおよびｍ種類の前記青用階調電圧からひとつを選択して出力する青用デジタルアナログコンバータとを備えて構成しても良い。
【００１２】
【発明の実施の形態】
以下、本発明の好ましい実施の形態について、添付図面を参照しながら詳細に説明する。なお、以下の説明は、本発明の好ましい実施の形態を示すものであり、本発明が以下の説明に限定されて解釈されるものではない。
【００１３】
先ず本発明の一実施の形態について図１、図２、図３を用いて説明する。図１はＥＬ表示装置のブロック図であり、第１の従来技術の図９に相当する。図１においても図９と同様に、表示パネル１はデータ線２と走査線３との各交点に設けられた複数の画素４を含んで構成される。各画素４内にはＥＬ素子９が含まれ、データ線２と走査線３で選択された画素内のＥＬ素子９はデータ線２から供給される駆動電圧に従った強度で発光する。
【００１４】
本発明の第１の実施の形態のデータ線駆動装置５は、赤の入力データＤｒ、緑の入力データＤｇ、青の入力データＤｂを入力し、データ線２に駆動電圧ＤＶ（１）〜ＤＶ（ｋ）を出力する。データ線駆動装置５は、データの入力および出力のタイミングを制御する駆動制御回路７と、各データ線へ出力する駆動電圧を生成する駆動電圧生成回路８とを備えている。走査線駆動装置６は走査線３のスキャンを制御する。なお、図１においても説明の便宜のために入力データＤｒ、Ｄｇ、Ｄｂを４ビットのデータとしたがこれに限定されるものではなく、６ビット、８ビットまたはそれ以外であっても良い。
【００１５】
本発明では、第１の従来技術のデータ線駆動装置７０に代えてデータ線駆動装置５が用いられ、駆動電圧生成回路７１に代えて駆動電圧生成回路８が用いられる。図２は、駆動電圧生成回路８の一実施例である駆動電圧生成回路８ａのブロック図である。第１の従来技術の駆動電圧生成回路７１においては赤用、緑用、青用の３種の階調電圧発生回路を備えていたが、本発明の駆動装置の駆動電圧生成回路８ａにおいては階調電圧発生回路１１のみを備え、階調電圧発生回路１１から４ビットすなわち１６種類の赤用の階調電圧Ｖｒ（０）〜Ｖｒ（１５）と、１６種類の緑用の階調電圧Ｖｇ（０）〜Ｖｇ（１５）と、１６種類の青用の階調電圧Ｖｂ（０）〜Ｖｂ（１５）とを発生する。
【００１６】
赤用のＤＡＣ１２は赤用の階調電圧Ｖｒ（０）〜Ｖｒ（１５）の中から４ビットの入力データＤｒに対応する階調電圧に変換し、バッファ回路１５を介してガンマ補正された駆動電圧としてデータ線２に出力する。緑用のＤＡＣ１３は緑用の階調電圧Ｖｇ（０）〜Ｖｇ（１５）の中から４ビットの入力データＤｇに対応する階調電圧に変換し、バッファ回路１５を介してガンマ補正された駆動電圧としてデータ線２に出力する。同様に、青用のＤＡＣ１４は青用の階調電圧Ｖｂ（０）〜Ｖｂ（１５）の中から４ビットの入力データＤｂに対応する階調電圧に変換し、バッファ回路１５を介してガンマ補正された駆動電圧としてデータ線２に出力する。
【００１７】
図３は、階調電圧発生回路１１の回路図である。階調電圧発生回路１１は電圧発生手段２１と、電圧選択手段２２とを備えて構成される。電圧発生手段２１は、高電圧側の第１の電源である電源Ｖｃと低電圧側の第２の電源である接地との間に複数の抵抗が直列に接続され、抵抗の各接続点に対応して赤、緑、青の階調電圧の種類ｍ（図３ではｍ＝１６）よりも大きいｎ（図３ではｎ＝４０）個の基準電圧端子が設けられている。各抵抗の抵抗値を同一に設定することにより、接地電位のＶ（０）から電源Ｖｃの電位Ｖ（３９）まで等しい電圧間隔の４０個の基準電圧を基準電圧端子から出力する。電圧選択手段２２は、４０個の基準電圧端子から入力する基準電圧Ｖ（０）〜Ｖ（３９）の中から１６種類の赤用階調電圧Ｖｒ（０）〜Ｖｒ（１５）、１６種類の緑用階調電圧Ｖｇ（０）〜Ｖｇ（１５）、１６種類の青用階調電圧Ｖｂ（０）〜Ｖｂ（１５）をそれぞれ選択して出力する。例えば、図３に示すように、赤用の階調電圧Ｖｒ（０）として基準電圧Ｖ（５）を選択し、階調電圧Ｖｒ（１）として基準電圧Ｖ（９）を選択し、階調電圧Ｖｒ（２）として基準電圧Ｖ（１３）を選択し、階調電圧Ｖｒ（３）として基準電圧Ｖ（１７）を選択し、階調電圧Ｖｒ（４）として基準電圧Ｖ（２１）を選択し、階調電圧Ｖｒ（５）として基準電圧Ｖ（２５）を選択し、階調電圧Ｖｒ（６）として基準電圧Ｖ（２９）を選択し、階調電圧Ｖｒ（７）として基準電圧Ｖ（３０）を選択し、階調電圧Ｖｒ（８）として基準電圧Ｖ（３１）を選択し、階調電圧Ｖｒ（９）として基準電圧Ｖ（３２）を選択し、階調電圧Ｖｒ（１０）として基準電圧Ｖ（３３）を選択し、階調電圧Ｖｒ（１１）として基準電圧Ｖ（３４）を選択し、階調電圧Ｖｒ（１２）として基準電圧Ｖ（３５）を選択し、階調電圧Ｖｒ（１３）として基準電圧Ｖ（３６）を選択し、階調電圧Ｖｒ（１４）として基準電圧Ｖ（３７）を選択し、階調電圧Ｖｒ（１５）として基準電圧Ｖ（３８）を選択して１６種類の赤用階調電圧Ｖｒ（０）〜Ｖｒ（１５）を出力する。
【００１８】
このように、４０個の基準電圧端子から入力する基準電圧Ｖ（０）〜Ｖ（３９）の中から１６種類の赤用階調電圧Ｖｒ（０）〜Ｖｒ（１５）、１６種類の緑用階調電圧Ｖｇ（０）〜Ｖｇ（１５）、１６種類の青用階調電圧Ｖｂ（０）〜Ｖｂ（１５）をそれぞれ選択して出力することにより、図４のガンマ補正特性に示すように、３９個の抵抗を含む１個の抵抗ストリングと電源Ｖｃだけを用いて図１０（ａ）の赤に対するガンマ補正特性、図１０（ｂ）の緑に対するガンマ補正特性および図１０（ｃ）の青に対するガンマ補正特性のすべてを実現することができる。すなわち、第１の従来技術では１６個の抵抗を含む抵抗ストリングと専用の電源を赤、緑、青のそれぞれに対して持たなければならなかったのに対して、本発明は、ストリング数、電源数を削減できるので図９〜１２の第１の従来技術と比較して小型化及び低消費電力化に適しており、また、赤、緑、青のそれぞれの階調電圧の数はそれぞれ１６個であり図１３の第２の従来技術のように階調電圧の数が増えてしまうことがないので、デジタルアナログ変換時に飽和が生じて色ムラを発生させることがない。
【００１９】
図３における電圧選択手段２２の一実施例を図５に示す。電圧選択手段２２は、第１の方向に設けられ電圧発生手段２１の基準電圧出力端子に接続されたｎ（図５ではｎ＝４０）本の基準電圧入力線３１と、第１の方向と直交する第２の方向に設けられたｍ（図５ではｍ＝１６）本の赤用階調電圧出力線３２、ｍ本の緑用階調電圧出力線３３およびｍ本の青用階調電圧出力線３４とを備えている。また、電圧選択手段２２は、第１の方向の配線と前記第２の方向の配線との交点に設けられ、それぞれの赤用階調電圧出力線３２に対し基準電圧入力線３１のうちの１本と選択的に接続し、それぞれの緑用階調電圧出力線３３に対し基準電圧入力線３１のうちの１本と選択的に接続し、それぞれの青用階調電圧出力線３４に対し基準電圧入力線３１のうちの１本と選択的に接続する接続手段３５を備えている。第１の方向の配線と第２の方向の配線との交点に設けたビアを接続手段３５として用いることにより電圧選択手段を一層小型化できる。図５では、赤用の階調電圧Ｖｒ（１５）として基準電圧Ｖ（３８）を出力し、赤用の階調電圧Ｖｒ（０）として基準電圧Ｖ（５）を出力するように構成されている。
【００２０】
このようにして発生した赤用の階調電圧Ｖｒ（０）〜Ｖｒ（１５）は赤用のＤＡＣ１２に供給され、緑用の階調電圧Ｖｇ（０）〜Ｖｇ（１５）は緑用のＤＡＣ１３に供給され、青用の階調電圧Ｖｂ（０）〜Ｖｂ（１５）は青用のＤＡＣ１４に供給され、それぞれのＤＡＣに入力されるデジタル入力データに基づいてデジタルアナログ変換してえられた駆動電圧がバッファ回路１５を介してデータ線２に出力される。すでにＤＡＣの一例を図１２のＤＡＣ１２ａに示したが、ＤＡＣは図６のＤＡＣ１２ｂに示すようにして構成しても良い。すなわち、ＤＡＣ１２ｂは、入力データＤｒにより１本の出力線のみが選択されるデコーダ４１と、選択された出力線により階調電圧Ｖｒ（０）〜Ｖｒ（１５）の中の１種類を選ぶセレクタ４２とを備え、入力データＤｒに対応する階調電圧として変換出力する。
【００２１】
図７は、電圧選択手段２２の他の実施例の回路図である。電圧選択手段２２は、スイッチがマトリクス状に設けられたスイッチマトリクス５１と、スイッチマトリクス５１の開閉を制御するスイッチ制御回路５２とからなっている。スイッチマトリクス５１は、第１の方向の配線である基準電圧入力線３１と、第２の方向の配線である赤用階調電圧出力線３２、緑用階調電圧出力線３３および青用階調電圧出力線３４との交点に設けられたスイッチＳを有している。スイッチ制御回路５２は、それぞれの赤用階調電圧出力線３２に対しこれに接続されたｎ（図７ではｎ＝４０）個のスイッチのうち１個をスイッチ制御信号Ｓｒ（０）〜Ｓｒ（１５）により選択して導通させ、同様にそれぞれの緑用階調電圧出力線に対しこれに接続された４０個のスイッチのうち１個をスイッチ制御信号Ｓｇ（０）〜Ｓｇ（１５）により選択して導通させ、またそれぞれの青用階調電圧出力線に対しこれに接続された４０個のスイッチのうち１個をスイッチ制御信号Ｓｂ（０）〜Ｓｂ（１５）により選択して導通させるように制御する。
【００２２】
電圧選択手段２２を図７のようにスイッチマトリクスを用いて構成することにより、外部からスイッチ設定信号ＳＥＴＳを制御してスイッチを開閉させてガンマ補正特性を変更したり微調整したりすることが可能となる。例えば、ＥＬパネル毎の製造要因による赤、緑、青の発光特性のばらつきに対して、ＥＬパネル毎にスイッチを制御して適正な発光特性のガンマ補正を行うことが可能となり、発光特性のばらつきを改善できる。また、屋外で使用する場合と屋内で使用する場合とで外光の影響を考慮してスイッチを制御することにより、ＥＬパネルの表示の輝度を見やすく最適なものに調整することができる。
【００２３】
図８は、駆動電圧生成回路の他の実施例のブロック図を示す。図８の駆動電圧生成回路８ｂでは、赤用の電圧選択手段６２が赤用ＤＡＣ１２毎に対応して設けられ、緑用の電圧選択手段６３が緑用ＤＡＣ１３毎に対応して設けられ、青用の電圧選択手段６４が青用ＤＡＣ１４毎に対応して設けられる。それぞれの赤用の電圧選択手段６２は、電圧発生手段２１から供給されるｎ（図８ではｎ＝４０）種類の基準電圧Ｖ（０）〜Ｖ（３９）の中からｍ（図８ではｍ＝１６）種類の赤用階調電圧を選択して対応する赤用ＤＡＣ１２に供給する。同様に、それぞれの緑用の電圧選択手段６３は、電圧発生手段２１から供給される基準電圧Ｖ（０）〜Ｖ（３９）の中から１６種類の緑用階調電圧を選択して対応する緑用ＤＡＣ１３に供給する。また、それぞれの青用の電圧選択手段６４は、電圧発生手段２１から供給される基準電圧Ｖ（０）〜Ｖ（３９）の中から１６種類の青用階調電圧を選択して対応する青用ＤＡＣ１４に供給する。
【００２４】
図２の駆動電圧生成回路８ａにおいては、１６種類の赤用階調電圧Ｖｒ（０）〜Ｖｒ（１５）、１６種類の緑用階調電圧Ｖｇ（０）〜Ｖｇ（１５）、１６種類の青用階調電圧Ｖｂ（０）〜Ｖｂ（１５）を赤用ＤＡＣ１２、緑用ＤＡＣ１３又は青用ＤＡＣ１４に供給するために計４８本の配線が駆動電圧生成回路８ａの内部を横断する。これに対して図８の駆動電圧生成回路８ｂでは、基準電圧Ｖ（０）〜Ｖ（３９）を供給する４０本の配線だけが駆動電圧生成回路８ｂの内部を横断することになり、配線本数を削減して駆動電圧生成回路を小型化することが可能となる。各色の入力データが４ビットの場合で説明したが、特に入力データが８ビットの場合には階調電圧は各色２５６種類ずつとなるので、図２の駆動電圧生成回路８ａでは計７６８本の配線が生じるのに対して、図８の駆動電圧生成回路８ｂで例えば５００種類の基準電圧を用いたとしても差し引きで２６８本の配線を削減することができるので小型化の効果は大きい。
【００２５】
【発明の効果】
以上に説明したように、本発明のデータ線駆動装置では、ｎ個の基準電圧端子を有する１個の抵抗ストリングで発生したｎ種類の基準電圧の中からｎよりも小さいｍ種類の赤用階調電圧、ｍ種類の緑用階調電圧、ｍ種類の青用階調電圧をそれぞれ選択して出力することにより、１個の抵抗ストリングと高電位と低電位の１対の電源だけを用いて赤に対するガンマ補正特性、緑に対するガンマ補正特性および青に対するガンマ補正特性のすべてを実現することができる。これにより、第１の従来技術では抵抗ストリングと専用の電源を赤、緑、青のそれぞれに対して持たなければならなかったのに対して、本発明のデータ線駆動装置では、ストリング数、電源数を削減できるので、第１の従来技術と比較して小型化及び低消費電力化が可能となる。また、第２の従来技術のように階調電圧の数が増えてしまうことがないので、デジタルアナログ変換時に飽和が生じて色ムラを発生させることがなくＲＧＢのバランスの良い画像を提供することができる。
【図面の簡単な説明】
【図１】本発明のデータ線駆動装置を含むＥＬ表示装置のブロック図である。
【図２】本発明の一実施の形態のデータ線駆動装置における駆動電圧生成回路の一実施例のブロック図である。
【図３】駆動電圧生成回路内の階調電圧発生回路の回路図である。
【図４】本発明の駆動回路における階調電圧発生回路のガンマ補正特性を示す図である。
【図５】電圧選択手段の一実施例の構成を示す図である。
【図６】ＤＡＣの一実施例の回路図である。
【図７】電圧選択手段の他の実施例の回路図である。
【図８】駆動電圧生成回路の他の実施例のブロック図を示す。
【図９】ＥＬ表示装置のブロック図である。
【図１０】（ａ）は赤に対するガンマ補正特性を示す図であり、（ｂ）は緑に対するガンマ補正特性を示す図であり、（ｃ）は青に対するガンマ補正特性を示す図である。
【図１１】第１の従来技術における駆動電圧生成回路のブロック図である。
【図１２】第１の従来技術における階調電圧発生回路およびＤＡＣの回路図である。
【図１３】第２の従来技術のＥＬ表示装置のブロック図である。
【符号の説明】
１　　表示パネル
２　　データ線
３　　走査線
４　　画素
５　　データ線駆動装置
６　　走査線駆動装置
７　　駆動制御回路
８，８ａ，８ｂ　　駆動電圧生成回路
９　　ＥＬ素子
１１　　階調電圧発生回路
１２，１２ａ，１２ｂ，１３，１４　　ＤＡＣ
１５　　バッファ回路
２１　　電圧発生手段
２２，６２，６３，６４　　電圧選択手段
３１　　基準電圧入力線
３２，３３，３４　　階調電圧出力線
３５　　接続手段
４１　　デコーダ
４２　　セレクタ
５１　　スイッチマトリクス
５２　　スイッチ制御回路
【図１】
2004085806.tif 000003
【図２】
2004085806.tif 000004
【図３】
2004085806.tif 000005
【図４】
2004085806.tif 000006
【図５】
2004085806.tif 000007
【図６】
2004085806.tif 000008
【図７】
2004085806.tif 000009
【図８】
2004085806.tif 000010
【図９】
2004085806.tif 000011
【図１０】
2004085806.tif 000012
【図１１】
2004085806.tif 000013
【図１２】
2004085806.tif 000014
【図１３】
2004085806.tif 000015